【事件の表示】
　特許第３００６６１４号「合成樹脂部材の取付装置」の請求項２ないし５に係る特許に対する特許異議の申立てについて、次のとおり決定する。
【結　論】
　訂正を認める。
　特許第３００６６１４号の請求項２に係る特許を維持する。
【理　由】
１．手続の経緯
　特許第３００６６１４号の請求項２ないし５に係る発明についての出願は、平成１１年２月２６日に特許出願され、平成１１年１１月２６日にその発明について特許の設定登録がされ、その後、請求項２ないし５について、特許異議申立人中村良治により特許異議の申立てがなされ、取消理由通知がなされ、その指定期間内である平成１３年１月１６日に訂正請求がなされたものである。
　
２．訂正の適否について
（ア）訂正の内容
　特許権者が求めている訂正の内容は、以下の（ａ）〜（ｍ）のとおりである。
（ａ）特許請求の範囲の請求項２を削除する。
（ｂ）訂正前の特許請求の範囲の請求項３
「前記合成樹脂部材には前記被取付部材を挟んで前記挿入部とは反対側に位置し前記被取付部材に沿って延びる延長部を備えることを特徴とする請求項１もしくは請求項２記載の合成樹脂部材の取付装置。」
を、
「前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする請求項１に記載の合成樹脂部材の取付装置。」
と訂正し、新しい請求項２とする。
（ｃ）特許請求の範囲の請求項４を削除する。
（ｄ）特許請求の範囲の請求項５を削除する。
（ｅ）段落【０００９】を削除する。
（ｆ）段落【００１０】の
「また、前記合成樹脂部材には前記被取付部材を挟んで前記挿入部とは反対側に位置し前記被取付部材に沿って延びる延長部を備えることを特徴とする。」
を、
「また、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする。」
と訂正する。
（ｇ）段落【００１１】を削除する。
（ｈ）段落【００１２】を削除する。
（ｉ）段落【００３０】の
「なお、前記各実施例では本発明を指針式指示計器におけるストッパの取付構造に適用したが、本発明は合成樹脂部材を被取付部材に取り付けるものであれば、指針式指示計器におけるストッパの取付構造以外にも幅広く適用が可能であり、例えば、本発明の第４実施例として図５に示すように、合成樹脂ケースの接合構造において図示省略した一方のケース（合成樹脂部材）に規制部３３を有する突出片３２からなる挿入部３０を形成し、また相手側となる他方のケース（被取付部材）２ａに貫通孔２２を形成し、一方のケースの挿入部３０を他方のケース２ａの貫通孔２２に挿入して両ケースを接合するものに適用しても、前記第１〜第３実施例と同等の効果を得ることができる。なおこの際、挿入部３０の抜け止めを行う延長部は、挿入部３０の形成対象である一方のケースの本体部分となる。」
を、
「なお、前記各実施例では本発明を指針式指示計器におけるストッパの取付構造に適用したが、例えば、本発明の参考例として図５に示すように、合成樹脂ケースの接合構造において図示省略した一方のケース（合成樹脂部材）に規制部３３を有する突出片３２からなる挿入部３０を形成し、また相手側となる他方のケース（被取付部材）２ａに貫通孔２２を形成し、一方のケースの挿入部３０を他方のケース２ａの貫通孔２２に挿入して両ケースを接合するものに適用することも考えられる。なおこの際、挿入部３０の抜け止めを行う延長部は、挿入部３０の形成対象である一方のケースの本体部分となる。」
と訂正する。
（ｊ）段落【００３２】の
「また本発明は、貫通孔を有する被取付部材と、前記貫通孔に対応する箇所に挿入部を有しこの挿入部を前記貫通孔に挿入することにより前記被取付部材に取り付けられる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことにより、組み付けが容易で、損傷を抑制することができる合成樹脂部材の取付装置を提供することができる。」
を、
「また本発明は、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることにより、合成樹脂部材の確実な固定を実現できる。」
と訂正する。
（ｋ）段落【００３３】を削除する。
（ｌ）段落【００３４】を削除する。
（ｍ）上記訂正事項（ｅ）（ｇ）（ｈ）（ｋ）（ｌ）による段落の削除に伴い、段落番号の番号を順次繰り上げる。
　
（イ）訂正の目的の適否、新規事項の有無及び拡張・変更の存否
　訂正事項（ａ）（ｃ）（ｄ）は、請求項の削除であるから、特許請求の範囲の減縮を目的とするものであり、新規事項の追加でもなく、特許請求の範囲を実質的に拡張し又は変更するものでもない。
　訂正事項（ｂ）は、請求項３に、請求項５に記載された限定事項を付加し、さらに、上記訂正事項（ａ）による請求項２の削除に伴い、請求項１もしくは２の引用形式から請求項１のみの引用形式に訂正し、請求項の番号を繰り上げたものであるから、特許請求の範囲の減縮を目的とするものであり、新規事項の追加でもなく、特許請求の範囲を実質的に拡張し又は変更するものでもない。
　訂正事項（ｅ）〜（ｍ）は、上記訂正事項（ａ）〜（ｄ）により特許請求の範囲が減縮されたことに伴う発明の詳細な説明の訂正であるから、明りょうでない記載の釈明を目的とするものであって、新規事項の追加でもなく、特許請求の範囲を実質的に拡張し又は変更するものでもない。
　
（ウ）むすび
　以上のとおりであるから、上記訂正は、特許法第１２０条の４第２項及び同条第３項において準用する同法第１２６条第２、３項の規定に適合するので、当該訂正を認める。
　
３．特許異議の申立てについて
（ア）本件発明
　本件の請求項２に係る発明は、上記訂正に係る訂正明細書の特許請求の範囲の請求項２に記載された事項により特定される次のとおりのものである。
「【請求項１】 貫通孔を有する文字板からなる被取付部材と、挿入部を有しこの挿入部を前記貫通孔に挿入することにより前記被取付部材上に取り付けられ前記被取付部材の前方で回動する指針を回動規制するストッパからなる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことを特徴とする合成樹脂部材の取付装置。
【請求項２】前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする請求項１に記載の合成樹脂部材の取付装置。」
　
（イ）特許異議申立ての概要
　特許異議申立人中村良治は、証拠として甲第１号証（実公昭６０−１１２９３号公報）、甲第２号証（実公昭６３−７６９２号公報）、甲第３号証（実願昭５６−６５４０７号（実開昭５７−１７８４９３号）のマイクロフィルム）を提出し、請求項２ないし５に係る発明は、甲第１ないし３号証に記載された発明と同一、もしくは、甲第１ないし３号証に記載された発明に基づいて当業者が容易に発明をすることができたものであるから、請求項２ないし５に係る発明の特許は、特許法第２９条第１項第３号もしくは同条第２項の規定に違反してなされたものであり、特許法第１１３条第１項第２号の規定に該当し、取り消されるべきものである旨主張している。
　
（ウ）甲各号証記載の発明
　甲第１号証には、
「本考案は、穿設穴を有する複数の板を固着又は連設するために使用するグロメットに関する。」（第１欄第１７〜１８行）、
「図示する如くグロメット１０は、比較的軟質の可撓性樹脂材で一体成形されるもので、頭部１１と頭部１１の下面より相対して延垂した２本の脚体１４，１４とより成り、頭部１１は回転溝１３を具備し、脚体１４は自由端を内側に曲折した突止部１５，１５と、脚体１４，１４の面内にあって、係止部１７，１７・・・を形成しかつ内外方向に外圧により自由にたわみ得るようにした挿通体１６，１６とを具備したものである。具体的には、頭部１１は中心部がやゝ肉厚の円板状をなしその周囲には長円形で先端に移動する程肉薄状となり板面に対してたわみやすい形状に構成された密着部１２よりなっている。」（第３欄第７〜１９行）、
「即ち、第３図に示す如く第１の飾板２０に穿設された第１の透孔２１は長円形となし、以下第２の飾板２０ａの透孔２１ａも同様に長円形となし同一個所に重なって使用する。次いで、グロメット１０を透孔２１，２１ａに挿着させるには、第４図の如くグロメット１０の脚体１４を透孔２１に当接し、指で頭部１１を押圧する。」（第３欄第４１行〜第４欄第４行）、
「頭部１１を押圧されたグロメット１０は挿通体１６，１６の具備する係止部１７，１７・・・が透孔２１の周縁に当接されることで挿通体１６，１６自体が脚体１４，１４の内側へ押し込まれることになるが、この時、突止部１５，１５はその先端が互いに衝突され、これにより脚体１４，１４は、それ以上の変形を阻止されて平行状に保持される。このように、突止部１５，１５は回転溝１０を穿設穴に挿着する時の停止操作を与えると同時に挿着後の不本意な外力による脚体１４，１４の変形に対して、これを阻止する安定源となり、従って突止部１５，１５は、この停止操作によって脚体１４，１４の復元弾性力を保持させることになる。そして飾板２０の周面が密着部１２に当接した時、飾板２０は、第２の飾板２０ａと共に係止部１７，１７・・・に係止し固着することになる。」（第４欄第８〜２６行）と記載されている。
　甲第２号証には、
「パネル等の被取付け部材に、シート状物、管状体等の取付け部材を固定するのに使用され、
（ａ）ヘッドと、
（ｂ）ヘッドから突出するシャンクと、
（ｃ）シャンクの自由端からヘッド側へ向いかつ外側へ膨出するように突出された一本又は複数本の弾性係止腕と
からなるプラスチックファスナーにおいて、前記シャンクの元部及びその近傍から又は弾性係止腕の中間部から、それぞれ弾性係止腕の中間部内壁面又はシャンクの元部側壁面に向って弾性支柱が突設され、該弾性支柱の先端部は、前記弾性係止腕が前記被取付け部材に形成された被取付け孔を挿通する過程の最大変形時前記各対向壁面に圧接するように、各対向壁面に近接していることを特徴とするプラスチックファスナー。」（実用新案登録請求の範囲）、
「（２）第二実施例（第５図）　第一実施例において、一対の弾性支柱の突出部位、突出方向を逆にしたもので、弾性支柱１６は、弾性係止腕１３の中間部からシャンク１２の元部側壁面に向って突設されている。弾性支柱１６のシャンク１２に対する近接の態様は、上述の実施例同様、弾性係止腕１３が最大変形したとき、弾性支柱１６がシャンク１２の側面に圧接可能なものとする。」（第４欄第４２行〜第５欄第６行）と記載されている。
　甲第３号証には、
「本考案は、回路基板を多数平行状に配設する場合、それ等の間に介在させる支持具に関するものである。」（明細書第２頁第４〜６行）、
「図面は本考案の一実施例を示したもので、（１）はベース側の回路基板、（２）は支持具（３）により間隔を持たされて設けた補助基板、（４）、（４）、（４’）、（４’）は上下に向けて双手を上げた形に突出させた基板支承腕で、支持具（３）の上下両端に夫々４個突出立設しており、それ等の先端面（５）、（５）、（５’）、（５’）は何れも水平面に精製し、各基板間の間隔の均一性を保たせるようにしてある。（６）、（６）は支持具（３）の上端面上から多少細目の径に当る円の円弧巾を持った対向状に配設した円弧板体で、恰も鰐口状に対設しており、中央部には向かい合って梃子作用をする膨出部分（１１）、（１１）があり、その上側から補助基板（２）の厚さに近い間を置いて背面側（９）、（９）は膨らませて、そのままの状態では補助基板（２）に穿設した透孔（７）を通過することはできないようにしてある。従って円弧板体（６）、（６）を両側から第４図の矢印で示すように抑圧して破線図（１０）で示すように曲げれば補助基板（２）は簡単に外すことができ、この逆の操作をすれば、補助基板（２）の保修操作は極めて容易であるし、背面側（９）、（９）の膨らませ如何で回路基板（１）に対する補助基板（２）の配置精度を極めて高くすることができる。」（明細書第３頁第５行〜第４頁第７行）と記載されている。
　
（エ）対比・判断
　本件の請求項２に係る発明と甲第１ないし３号証に記載された発明とを対比すると、甲第１ないし３号証のいずれにも、貫通孔を有する被取付部材が文字板であり、かつ、挿入部を有しこの挿入部を前記貫通孔に挿入することにより前記被取付部材上に取り付けられ前記被取付部材の前方で回動する指針を回動規制するストッパからなる合成樹脂部材である点が、記載されておらず、示唆もされていない。すなわち、甲第１号証記載のものは複数の板を固着するためのものであり、甲第２号証記載のものはパネル等にシート状物等を固定するためものであり、甲第３号証記載のものは複数の回路基板を平行状に支持するためのものであって、これらはいずれも複数の板状部材を互いに固定するためのものであるから、本件の請求項２に係る発明のごとき文字板と文字板の前方で回動する指針を回動規制するストッパとの取付装置への適用を示唆するものではない。
　そして、本件の請求項２に係る発明は、明細書記載の顕著な効果を奏するものである。
　したがって、本件の請求項２に係る発明は、甲第１ないし３号証に記載された発明と同一であるとはいえず、また、甲第１ないし３号証に記載された発明に基づいて当業者が容易に発明をすることができたものであるともいえない。
　
（オ）むすび
　以上のとおりであるから、特許異議申立ての理由及び証拠によっては、本件の請求項２に係る発明の特許を取り消すことはできない。
　また、他に本件の請求項２に係る発明の特許を取り消すべき理由を発見しない。
　よって、結論のとおり決定する。
【異議決定日】
平成１３年２月５日（２００１．２．５）
【訂正の要旨】
（ａ）特許請求の範囲の請求項２を削除する。
（ｂ）訂正前の特許請求の範囲の請求項３
「前記合成樹脂部材には前記被取付部材を挟んで前記挿入部とは反対側に位置し前記被取付部材に沿って延びる延長部を備えることを特徴とする請求項１もしくは請求項２記載の合成樹脂部材の取付装置。」
を、
「前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする請求項１に記載の合成樹脂部材の取付装置。」
と訂正し、新しい請求項２とする。
（ｃ）特許請求の範囲の請求項４を削除する。
（ｄ）特許請求の範囲の請求項５を削除する。
（ｅ）段落【０００９】を削除する。
（ｆ）段落【００１０】の
「また、前記合成樹脂部材には前記被取付部材を挟んで前記挿入部とは反対側に位置し前記被取付部材に沿って延びる延長部を備えることを特徴とする。」
を、
「また、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする。」
と訂正する。
（ｇ）段落【００１１】を削除する。
（ｈ）段落【００１２】を削除する。
（ｉ）段落【００３０】の
「なお、前記各実施例では本発明を指針式指示計器におけるストッパの取付構造に適用したが、本発明は合成樹脂部材を被取付部材に取り付けるものであれば、指針式指示計器におけるストッパの取付構造以外にも幅広く適用が可能であり、例えば、本発明の第４実施例として図５に示すように、合成樹脂ケースの接合構造において図示省略した一方のケース（合成樹脂部材）に規制部３３を有する突出片３２からなる挿入部３０を形成し、また相手側となる他方のケース（被取付部材）２ａに貫通孔２２を形成し、一方のケースの挿入部３０を他方のケース２ａの貫通孔２２に挿入して両ケースを接合するものに適用しても、前記第１〜第３実施例と同等の効果を得ることができる。なおこの際、挿入部３０の抜け止めを行う延長部は、挿入部３０の形成対象である一方のケースの本体部分となる。」
を、
「なお、前記各実施例では本発明を指針式指示計器におけるストッパの取付構造に適用したが、例えば、本発明の参考例として図５に示すように、合成樹脂ケースの接合構造において図示省略した一方のケース（合成樹脂部材）に規制部３３を有する突出片３２からなる挿入部３０を形成し、また相手側となる他方のケース（被取付部材）２ａに貫通孔２２を形成し、一方のケースの挿入部３０を他方のケース２ａの貫通孔２２に挿入して両ケースを接合するものに適用することも考えられる。なおこの際、挿入部３０の抜け止めを行う延長部は、挿入部３０の形成対象である一方のケースの本体部分となる。」
と訂正する。
（ｊ）段落【００３２】の
「また本発明は、貫通孔を有する被取付部材と、前記貫通孔に対応する箇所に挿入部を有しこの挿入部を前記貫通孔に挿入することにより前記被取付部材に取り付けられる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことにより、組み付けが容易で、損傷を抑制することができる合成樹脂部材の取付装置を提供することができる。」
を、
「また本発明は、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることにより、合成樹脂部材の確実な固定を実現できる。」
と訂正する。
（ｋ）段落【００３３】を削除する。
（ｌ）段落【００３４】を削除する。
（ｍ）上記訂正事項（ｅ）（ｇ）（ｈ）（ｋ）（ｌ）による段落の削除に伴い、段落番号の番号を順次繰り上げる。
（５４）【発明の名称】
合成樹脂部材の取付装置
（５７）【特許請求の範囲】
　　【請求項１】　貫通孔を有する文字板からなる被取付部材と、挿入部を有しこの挿入部を前記貫通孔に挿入することにより前記被取付部材上に取り付けられ前記被取付部材の前方で回動ずる指針を回動規制するストッパからなる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことを特徴とする合成樹脂部材の取付装置。
　　【請求項２】　
前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする請求項１に記載の合成樹脂部材の取付装置。
【発明の詳細な説明】
　　　【０００１】
　【発明の属する技術分野】
　本発明は、合成樹脂部材の取付装置に関し、例えば車両用の指針式指示計器のストッパとして使用される合成樹脂部材を文字板等の被取付部材に取り付けるに適した合成樹脂部材の取付装置に関する。
　　　【０００２】
　【従来の技術】
　従来、例えば自動車に搭載される速度計等の指針式指示計器においては、視認者が容易に測定値を読みとれるよう、ある程度の長さをもった指針にて測定値を表示するようにしている。
　　　【０００３】
　また、例えば測定値がゼロの場合や電源スイッチが遮断された場合、指針が正確に定位置で停止するように、文字板（被取付部材）上に合成樹脂からなるストッパ（合成樹脂部材）を設け、このストッパに指針を当設させることにより所定位置で指針の回動を停止させ、回動規制を行うものが知られている（例えば実開平５−１４８３５号公報に開示）。
　　　【０００４】
　このようなストッパを文字板に取り付ける場合、図６に示すように、ストッパａに、文字板ｂに形成した貫通孔ｃに挿入される挿入部ｄと、文字板ｂの前面側板面に沿って延びるフランジ部ｅとを形成し、挿入部ｄを貫通孔ｃに挿入してその貫通箇所を溶着することにより文字板ｂ上に固定したり、別の取付構造としては、図７に示すように、ストッパａの挿入部ｄを幅方向に弾性を有するフック形状の突出片ｆとして設け、この突出片ｆを、文字板ｂの貫通孔ｃ及び文字板ｂを背後から支持する導光板ｇに形成した貫通孔ｈに嵌入することにより、突出片ｆのフック部を導光板ｇの背面に係合固定するものがある。また、同様に突出片ｆの長さやそのフック形状を変化させフランジｅとの間で文字板ｂのみに固定する方法も提案されている。
　　　【０００５】
　【発明が解決しようとする課題】
　しかしながら、図６に示すごとくストッパａを溶着するものは、ストッパａの挿入部ｄを文字板ｂの貫通孔ｃに挿入した後に溶着工程を必要とし、組み付け作業性に難点がある。
　　　【０００６】
　また図７に示すごとく、突出片ｆの弾性変形を利用するものにあっては、突出片ｆをきちんと係合させるために、ある程度の力を必要とするが、例えば突出片ｆを嵌入するストッパａの組み付け作業時に、突出片ｆが必要以上に変形してストッパａが損傷することがあり、またこのような損傷に配慮した組み付け作業は、作業効率の低下を招くという不具合もある。
　　　【０００７】
　そこで、本発明は前記従来の問題点を解決するためになされたもので、その目的としては、組み付けが容易で、ストッパ等の合成樹脂部材の損傷を抑制し得る合成樹脂部材の取付装置を提供することにある。
　　　【０００８】
　【課題を解決するための手段】
　この発明は、貫通孔を有する文字板からなる被取付部材と、前記貫通孔に対応する箇所に挿入部を有しこの挿入部を前記貫通孔に挿入することにより前記被取付部材上に取り付けられ前記被取付部材の前方で回動する指針を回動規制するストッパからなる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことを特徴とする。
　　　【０００９】
　また、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることを特徴とする。
　　　【００１０】
　【発明の実施の形態】
　以下、添付図面に基づいて本発明の実施形態となる合成樹脂部材の取付装置の実施例を説明する。　図１、図２（ａ），（ｂ）は、本発明の第１実施例として、本発明による合成樹脂部材の取付装置を例えば車両用の指針式指示計器に適用した場合を示す。
　　　【００１１】
　図１において、指示計器は、例えば車速を指示する速度計にて構成され、指針１、文字板２、ストッパ３からなる。
　　　【００１２】
　指針１は、測定値の変化に応じて回動駆動される駆動装置１１の軸部１２に回動可能に連結されている。
　　　【００１３】
　文字板２は、指針１の背後に位置し、目盛２１や図示しない文字等が印刷されており、視認者は測定値に応じて回動ずる指針１と文字板２の目盛２１とを対比することで測定値を視認することができる。
　　　【００１４】
　ストッパ３は、ポリアセタール等の合成樹脂からなり、指針１が当接する当接部３１を有し、例えば電源スイッチ（イグニッションスイッチ）の遮断時に指針１を所定位置（例えば目盛２１における零点位置）で停止させるべく、文字板２上に固定される。
　　　【００１５】
　図２ａ、図２ｂで詳しく示すように、ストッパ３は、当接部３１から文字板２側に延びる挿入部３０を通じて文字板２に固定されるもので、文字板２には挿入部３０に対応する箇所に貫通孔２２が形成されている。
　　　【００１６】
　挿入部３０は、互いに間隔を空けて文字板２側に延び、貫通孔２２への挿入時には、貫通孔２２内に挿入できるよう幅方向（対向方向）内側に弾性変形し両者の間隔が幅狭となる（図２（ａ）参照）と共に、貫通孔２２への挿入後には、その弾性力により幅方向外方に広がり両者の間隔が元の間隔に戻る（図２（ｂ）参照）一対の突出片３２からなる。
　　　【００１７】
　各突出片３２の先端側外面は、貫通孔２２への挿入を容易とするため、内側に向けて傾斜する傾斜面として形成され、またそれらの先端側内方には、各突出片３２の対向側に斜めに延び、図２（ａ）に示すように貫通孔２２への挿入時に互いに当接して各突出片３２どうしの幅方向内方側への変形量を規制する規制部３３が形成されている。
　　　【００１８】
　これら規制部３３における対向側へ延び量は、突出片３２を挿入孔２２に挿入する際、各突出片３２が限界撓み量（規制部３３の損傷が懸念される撓み量）以上に弾性変形してしまうのを当接により規制できる程度、例えば本例では、突出片３２が貫通孔２２への挿入に足りる必要撓み量、もしくは貫通孔２２への挿入に適した必要撓み量以上の過度な変形を抑制できる程度に設定されている。
　　　【００１９】
　また、このように規制部３３を有した突出片（挿入部３０）３２は、貫通孔２２に挿入された後、図２（ｂ）示すように、その弾性力により幅方向外方に広がることでストッパ３を文字板３に係合するものであるが、突出片３２と当接部３１との間には、ストッパ３１から文字板２の板面方向に沿って延長し、ストッパ３を挿入方向に対し抜け止めするフランジ部（延長部）３４が突出形成され、また各突出片３２の外面には膨出部３５が突出しており、この膨出部３５とフランジ部３４との間は、これらよりも径小となるくびれ部３６（図２（ｂ）参照）が形成され、膨出部３５とフランジ部３４との間に位置するくびれ部３６が文字板２の貫通孔２２内に位置することで、膨出部３５とフランジ部３４との間で文字板２を挟持するように、ストッパ３が文字板２に係合固定される。
　　　【００２０】
　以上のように本実施例では、貫通孔２２を有する文字板（被取付部材）２と、貫通孔２２に対応する箇所に挿入部３０を有しこの挿入部３０を貫通孔２２に挿入することにより文字板２に取り付けられ文字板２の前方で回動する指針１を回動規制するストッパ（合成樹脂部材）３とを備えた指針式指示計器において、ストッパ３の挿入部３０を、互いに間隔を空けて文字板２側に伸長し貫通孔２２への挿入時には貫通孔２２に挿入可能に両者の間隔が幅狭となり、貫通孔２２への挿入後には、文字板２の貫通孔２２に係合するよう両者の間隔が元の間隔に戻る一対の突出片３２にて形成し、これら各突出片３２の先端側対向面に各突出片３２どうしの変形量を規制する規制部３３を設けたことにより、挿入部３０の挿入時における突出片３２の過度な変形を規制部３３が当接することにより抑えることができ、例えば当接部３１の延長軸方向に対し傾いた状態でストッパ３が貫通孔２２に挿入され、突出片３２に過度な応力が加わったとしても、突出片３２がその弱小箇所Ｐ（図２（ａ）参照）から折れたり、変形してしまうといった損傷を防ぐことができ、これにより、文字板２に挿入するのみで装着することでき、組み付けが容易で、しかもストッパ３の損傷を抑制することができる。
　　　【００２１】
　また、本実施例では、合成樹脂部材たるストッパ３の取付対象（被取付部材）が文字板（板状部材）２からなると共にストッパ３に文字板２を挟んで挿入部３０とは反対側に位置し文字板２の板面方向に沿って突出する突出部たるフランジ部（延長部）３４を形成したことにより、ストッパ３の挿入方向への抜けを確実に抑制してその取付状態を確実になすことができる。
　　　【００２２】
　また、本実施例では、フランジ部３４と挿入部３０との間であって貫通孔２２に対応する箇所にフランジ部３４及び挿入部３０よりも径小となるくびれ部３６を形成したことにより、フランジ部３４と挿入部３０との間に文字板２が挟み込まれて固定され、これによりストッパ３を文字板２に確実に固定することができる。
　　　【００２３】
　なお、本実施例では、各突出片３２は両者が弾性変形するように形成したが、いずれか一方側のみ弾性を持たせてもよい。　また、本実施例では、一対の突出片３２の双方が規制部３３を有する場合を示したが、本発明の第２実施例として図３に示すように、一対の突出片３２ａ，３２ｂのうち、一方側の突出片３２ａのみに規制部３３を形成することもできる。
　　　【００２４】
　また、前記第１，第２実施例では、ストッパ３が文字板２に取付固定される場合を示したが、本発明の第３実施例として図４に示すように、突出片３２の先端にフック３７，３８をそれぞれ形成し、これらフック３７，３８とフランジ部３４の間で文字板２および導光板４を挟持するようにしてもよく、この際、例えば一方のフック３７側に規制部３３を設けることで変形量を規制してもよい。
　　　【００２５】
　また、前記第１〜第３実施例では、挿入部３０を一対の突出片３２，３２ａ，３２ｂから形成したが、所定の間隔を隔てて３つ以上形成してもよい。
　　　【００２６】
　また、前記各実施例において、ストッパ３は、ポリアセタールからなるが、ポリアセタール以外にも適度に弾性を持つ合成樹脂材料であれば、適宜材料が利用でき、ストッパ３の材質や突出片３２の構造等に応じて各突出片３２，３２ａ，３２ｂ間の間隔設定、規制部３３による変形規制設定を行えばよい。
　　　【００２７】
　なお、前記各実施例では本発明を指針式指示計器におけるストッパの取付構造に適用したが、
例えば、参考例として
適用することも考えられる。
　　　【００２８】
　【発明の効果】
　以上のように、本発明は、貫通孔を有する文字板からなる前記被取付部材と、前記貫通孔に対応する箇所に挿入部を有しこの挿入部を前記貫通孔に挿入することにより前記被取付部材上に取り付けられ前記被取付部材の前方で回動する指針を回動規制するストッパからなる合成樹脂部材とを備え、前記挿入部が互いに間隔を空けて被取付部材側に伸長し前記貫通孔への挿入時には弾性変形によって前記間隔が幅狭となる少なくとも一対の突出片からなり、前記突出片のうち少なくとも一方の先端側に、前記各突出片の対向側に延び前記各突出片どうしの変形量を規制する規制部を設けたことにより、組み付けが容易で、損傷を抑制することが可能なストッパの取付装置を備えた指針式指示計器を提供することができる。
　　　【００２９】
　また本発明は、前記合成樹脂部材には前記被取付部材を挟んで前記挿入部とは反対側に位置し前記被取付部材に沿って延びる延長部を備え、前記延長部と前記挿入部との間であって前記貫通孔に対応する箇所に前記延長部及び前記挿入部よりも径小となるくびれ部が形成されることにより、合成樹脂部材の確実な固定を実現できる。
【図面の簡単な説明】
　【図１】
　　本発明が適用される指針式指示計器の主要部断面を示す斜視図。
　【図２】
　　（ａ）は図１のストッパの組み付け時の状態を示す断面図、（ｂ）はその組み付け後の状態を示す断面図。
　【図３】
　　本発明の第２実施例を示す斜視図。
　【図４】
　　本発明の第３実施例を示す要部断面図。
　【図５】
　　本発明の
参考例
　【図６】
　　従来例を示す要部断面図。
　【図７】
　　他の従来例を示す断面図。
　【符号の説明】
　１　　指針
　２　　文字板（被取付部材）
　２ａ　ケース
　３　　ストッパ（合成樹脂部材）
　２２　貫通孔
　３０　挿入部
　３１　当接部
　３２，３２ａ，３２ｂ　突出片
　３３　規制部
　３４　延長部（突出部）